(57)【特許請求の範囲】
【請求項１】
水面上より水底面に向けて垂下させた泥状材流下筒と、該流下筒の上端に連続的若しくは間欠的に供給する泥状材供給装置とを有し、前記流下筒内に、その中心方向に向けて挿入され、上下に往復動作される動作軸を備え、該動作軸に、前記泥上材流下筒内の流動性泥状材に対する抵抗が上向き動作時には小さく、下向き動作時には大きい下向き加圧具を備え、前記泥状材供給装置により、浚渫土砂にセメント系固化剤を混入させた固化処理浚渫泥土からなる流動性泥状材を供給させ、該泥状材流下筒の下端を、先に流下されて水底に盛り上げられた流動性泥状材内に、埋没させた状態で、流動性泥状材を順次水底に流下させるようにしたことを特徴としてなる流動性泥状材の水底打設装置。
【請求項２】
前記下向き加圧具が、上下に連通開口した流路を有し、該流路に逆止弁を備えたピストンである請求項１に記載の流動性泥状材の水底打設装置。
【請求項３】
下向き加圧具が、上向き動作時に縮径方向に動作し、下向き動作時に拡開する傘状体である請求項１に記載の流動性泥状材の水底打設装置。
【発明の詳細な説明】
【０００１】
【発明の属する技術分野】
本発明は、浚渫土砂にセメント系の固化剤を混入した固化処理浚渫泥土からなる流動性泥状材の水底への打設を、トレミー管などの流下筒を使用して行う流動性泥状材の水底打設装置に関する。
【０００２】
【従来の技術】
一般に、水底に場所打ちのコンクリート構造物を構築する際に、トレミー管が使用されている。この従来のトレミー管によるコンクリート打設は、最初に投下されたコンクリート内にトレミー管の先端を没入させた状態を維持させつつトレミー管を上昇させて順次コンクリートの打設を行うことにより、次々に投下されるコンクリートが水に洗われるのを防止し、一定の品質のコンクリート構造物が得られるようにしている。
【０００３】
また、トレミー管の筒先管理は、レッドを使用した深度測定によりトレミー管高さを決定する方法や、潜水夫による目視による方法などによって行われている。
【０００４】
【発明が解決しようとする課題】
上述のような従来の方法では、コンクリートの打設作業中において、トレミー管を早く上げ過ぎると管内に水が混入してしまい、また上げが遅れると筒先が埋まり過ぎてコンクリートが流れ出なくなってしまい、常に最適の状態でコンクリートの打設ができないという問題があった。
【０００５】
また、近年において、港湾における航路維持等のための浚渫によって生じる浚渫土砂の処理や、海底の地盤改良の目的から、浚渫土砂にセメント系の固化剤を混入させて海底に戻し、一定以上の強度の固化地盤を形成する方法が開発されつつある。
【０００６】
このような浚渫土砂にセメント系固化剤を混入させた泥状材を海底に打設する場合は、通常のコンクリートに比べて固化剤の添加割合も小さいものであるため、打設中に水に洗われると、品質の低下が大きく、また、泥土や固化剤が水中に拡散し、水域を汚染することが考えられるため、打設に際しては常に筒先を先に打設した処理材内に没入させた状態を維持させる必要がある。
【０００７】
一方、このような固化処理浚渫泥土は、コンクリートのように流動性が一定ではなく、場合によってはコンクリートに比べて流動性が低く、従来のトレミー管では、水底に打設する際に、先に打設された盛土内に流下筒の下端を埋没させた状態では自然流下し難い事態が生じるなどの問題があった。
【０００８】
本発明は、このような従来の問題に鑑み、打設しようとする固化処理浚渫泥土からなる流動性泥状材の流動性に多少のばらつきがあっても、筒先を先に打設した固化剤内に没入させた状態を維持しつつ、確実な打設が可能となり、しかも微妙な筒先高さ管理を要せずに良好な水底打設ができる流動性泥状材の水底打設装置の提供を目的としてなされたものである。
【０００９】
【課題を解決するための手段】
上述の如き従来の問題を解決し、所期の目的を達成するための本発明に係る流動性泥状材の水底打設装置の特徴は、水面上より水底面に向けて垂下させた泥状材流下筒と、該流下筒の上端に連続的若しくは間欠的に供給する泥状材供給装置とを有し、前記流下筒内に、その中心方向に向けて挿入され、上下に往復動作される動作軸を備え、該動作軸に、前記泥上材流下筒内の流動性泥状材に対する抵抗が上向き動作時には小さく、下向き動作時には大きい下向き加圧具を備え、前記泥状材供給装置により、浚渫土砂にセメント系固化剤を混入させた固化処理浚渫泥土からなる流動性泥状材を供給させ、該泥状材流下筒の下端を、先に流下されて水底に盛り上げられた流動性泥状材内に、埋没させた状態で、流動性泥状材を順次水底に流下させるようにしたことにある。
【００１０】
尚、下向き加圧具が、上下に連通開口した流路を有し、該流路に逆止弁を備えたピストンであること及び上向き動作時に縮径方向に動作し、下向き動作時に拡開する傘状体であることが好ましい。
【００１１】
【発明の実施の形態】
次に本発明の実施の形態を図面について説明する。図１〜図２は本発明の第一実施形態を示しており、図において、１はトレミー管からなる泥状材流下筒であり、作業船２から水底に垂下され、上端のホッパー３より、浚渫土にセメント系の固化剤を添加した固化処理浚渫泥土からなる流動性泥状材Ａを投入し、流下筒１を通して水底に流下させるようにしている。
【００１２】
また、流下筒１はその下端が先に水底に打設して盛り上げられた処理材Ａの表面より稍低い位置を保つように、その下端開口の高さを上下に調節できるようになっている。
【００１３】
流下筒１内には、その中心部に上端より動作軸１０が挿入されている。この動作軸１０は、流下筒上端外に備えた油圧シリンダーや、モータにて回転駆動されるクランクなどの往復駆動手段１１によって軸方向に往復動作されるようになっている。
【００１４】
動作軸１０の下端には、流下筒１内の流動性泥状材Ａに対する抵抗が、上向き動作時には小さく、下向き動作時には大きい下向き加圧具１２が固定されている。この加圧具１２は、流下筒内を動作軸とともに上下動自在なピストンからなり、このピストンには、上下に貫通開口した透過孔１３からなるが設けられているとともに、該透過孔１３の下端開口に、透過孔１３内の上向きの流れによって開口を閉鎖し、下向きの流れによって開放する逆止弁１４が設けられ、これによって加圧具１２は、下向き動作時には、流下筒１内を閉塞した若しくはこれに近い状態で動作がなされ、逆に上向き動作時には、上側の流動性泥状材Ａを透過孔１３を通して下側に相対移動、即ち、流動性泥状材Ａを上側に移動させないで上昇するように構成されている。
【００１５】
これによって、流下筒１内に流動性泥状材Ａを上端より供給しつつ加圧具１２を上下に往復動作させることにより、内部の流動性泥状材Ａは下向きに加圧され、強制的に流下される。
【００１６】
図３は本発明の他の実施形態を示しており、この実施形態では、動作軸１０の往復動作によって開閉して直径が拡縮し、流下筒１内の流動性泥状材Ａに対する抵抗が、上向き動作時には小さく、下向き動作時には大きい下向き加圧具２０が固定されている。この加圧具２０は動作軸１０の下端部に回動自在に支持され、下向き動作時の抵抗によって傘状に開き、上向き動作時の抵抗によってすぼまる方向に動作する抵抗体２１からなっており、前述の実施形態と同様に、下向き動作時には、流下筒１内を閉塞した若しくはこれに近い状態で動作がなされ、逆に上向き動作時には、流動性泥状材Ａを上側に移動させないで上昇するように構成されている。
【００１７】
これによって、流下筒１内に流動性泥状材Ａを上端より供給しつつ加圧具２０を上下に往復動作させることにより、内部の流動性泥状材Ａは下向きに加圧され、強制的に流下される。
【００１８】
【発明の効果】
上述のように、本発明に係る流動性泥状材の水底打設装置は、流下筒内に、その中心方向に向けて挿入され、上下に往復動作される動作軸を備え、該動作軸に、流下筒内の前記流動性泥状材に対する抵抗が上向き動作時には小さく、下向き動作時には大きい下向き加圧具を備えたことにより、打設しようとする流動性泥状材の流動性が低く、筒先を先に打設した流動性泥状材内に没入させた状態では自然流下がなされない場合であっても、確実な打設が可能となり、しかも筒先が先に打設した流動性泥状材内に深く入って、筒内の流下抵抗が大きくなっても確実に打設ができ、微妙な筒先高さ管理を要せずに良好な水底打設ができる。
【００１９】
また、下向き加圧具として、上下に連通開口した流路を有し、該流路に逆止弁を備えたピストンを用いることにより、耐久性が高く、確実な強制送りが得られる。
【００２０】
また、下向き加圧具として、上向き動作時に縮径方向に動作し、下向き動作時に拡開する傘状体を用いることにより、上向き動作時の抵抗が小さく、効率の高い強制送りが得られる。
【図面の簡単な説明】
【図１】      本発明に係る装置の一例を示す側面図である。
【図２】      同上の加圧具部分の断面図である。
【図３】      加圧具部分の他の例を示す断面図である。
【符号の説明】
Ａ 流動性泥状材
１ 泥状材流下筒
２ 作業船
３ ホッパー
１０ 動作軸
１１ 往復駆動手段
１２ 加圧具
１３ 透過孔
１４ 逆止弁
２０ 加圧具
２１ 抵抗体
【図１】
0004314598.tif 000002
【図２】
0004314598.tif 000003
【図３】
0004314598.tif 000004